(57)【要約】【課題】  録画予約変更時の煩わしい処理を少なくすることが可能な録画管理装置および録画管理方法を提供する。【解決手段】  録画予約格納部２ｆは、ユーザが指定した録画予約番組の放送チャンネル、その番組を録画する録画装置を特定する録画装置指定情報、その番組の開始日時および終了日時を関連づけて格納する。制御部２ｈは、開始日時になるとその開始日時と関連づけて格納されている録画装置指定情報およびチャンネルを読み出し、その録画装置指定情報にて示された録画装置に、そのチャンネルにて放送される番組を録画させる。制御部２ｈは、終了日時になると、その終了日時と関連づけて格納されている録画装置指定情報を読み出し、その録画装置指定情報にて示された録画装置が行っている録画を停止する。【選択図】      図１
2006270539.tif 000002
【特許請求の範囲】
【請求項１】
録画装置に録画予約番組を録画させる録画管理装置であって、
電子番組ガイドを取得する取得部と、
前記取得部にて取得された電子番組ガイドからユーザが前記録画予約番組として選択した番組を受け付ける入力部と、
前記入力部にて受け付けられた番組を放送するチャンネル、該番組の開始日時および該番組の終了日時を、前記電子番組ガイドから取得する予約情報取得部と、
前記予約情報取得部にて取得されたチャンネル、開始日時および終了日時を格納する格納部と、
現在の日時を示す時計部と、
前記時計部にて示される現在の日時が前記格納部に格納された開始日時になると、前記格納部に格納されたチャンネルにて放送される番組を前記録画装置に録画させ、該現在の日時が前記格納部に格納された終了日時になると、前記録画装置が行っている録画を停止する制御部と、を含む録画管理装置。
【請求項２】
録画装置に録画予約番組を録画させる録画管理装置であって、
前記録画予約番組を放送するチャンネル、該番組の開始日時および該番組の終了日時を、ユーザから受け付ける入力部と、
前記入力部にて受け付けられたチャンネル、開始日時および終了日時を格納する格納部と、
現在の日時を示す時計部と、
前記時計部にて示される現在の日時が前記格納部に格納された開始日時になると、前記格納部に格納されたチャンネルにて放送される番組を前記録画装置に録画させ、該現在の日時が前記格納部に格納された終了日時になると、前記録画装置が行っている録画を停止する制御部と、を含む録画管理装置。
【請求項３】
請求項１または２に記載の録画管理装置において、
前記録画装置は、複数あり、
前記入力部は、前記複数の録画装置のいずれかを特定するための録画装置指定情報をユーザから受け付け、
前記制御部は、前記現在の日時が前記開始日時になると、前記録画装置指定情報にて示された録画装置に前記チャンネルにて放送される番組を録画させ、前記現在の日時が前記終了日時になると、該録画装置が行っている録画を停止する、録画管理装置。
【請求項４】
請求項３に記載の録画管理装置において、
前記複数の録画装置のそれぞれは、その録画装置に応じたチャンネル信号、該録画装置に応じた録画開始信号および該録画装置に応じた録画停止信号によって録画を制御され、
前記制御部は、
前記複数の録画装置ごとに、前記録画装置に応じた複数のチャンネル信号、該録画装置に応じた録画開始信号および該録画装置に応じた録画停止信号を格納する制御信号格納部と、
前記現在の日時が前記開始日時になると、前記制御信号格納部から、前記録画装置指定情報が示す録画装置に応じかつ前記チャンネルを示すチャンネル信号と、該録画装置に応じた録画開始信号とを読み出し、その読み出されたチャンネル信号および録画開始信号を該録画装置に出力して該録画装置に前記チャンネルにて放送される番組を録画させ、該現在の日時が前記終了日時になると、該制御信号格納部から該録画装置に応じた録画停止信号を読み出し、その読み出された録画停止信号を該録画装置に出力して該録画装置が行っている録画を停止する録画制御部と、を含む、録画管理装置。
【請求項５】
録画装置に録画予約番組を録画させる録画管理装置が行う録画管理方法であって、
電子番組ガイドを取得する取得ステップと、
前記電子番組ガイドからユーザが前記録画予約番組として選択した番組を受け付ける入力ステップと、
前記番組を放送するチャンネル、該番組の開始日時および該番組の終了日時を、前記電子番組ガイドから取得する予約情報取得ステップと、
前記取得されたチャンネル、開始日時および終了日時を格納する格納ステップと、
現在の日時を出力する出力ステップと、
前記現在の日時が前記格納された開始日時になると、前記チャンネルにて放送される番組を前記録画装置に録画させ、該現在の日時が前記格納された終了日時になると、前記録画装置が行っている録画を停止する制御ステップと、を含む録画管理方法。
【請求項６】
録画装置に録画予約番組を録画させる録画管理装置が行う録画管理方法であって、
前記録画予約番組を放送するチャンネル、該番組の開始日時および該番組の終了日時を、ユーザから受け付ける入力ステップと、
前記チャンネル、前記開始日時および前記終了日時を格納する格納ステップと、
現在の日時を出力する出力ステップと、
前記現在の日時が前記格納された開始日時になると、前記チャンネルにて放送される番組を前記録画装置に録画させ、該現在の日時が前記格納された終了日時になると、前記録画装置が行っている録画を停止する制御ステップと、を含む録画管理方法。
【請求項７】
請求項５または６に記載の録画管理方法において、
前記録画装置は、複数あり、
前記複数の録画装置のいずれかを特定するための録画装置指定情報をユーザから受け付ける指定情報入力ステップを含み、
前記制御ステップでは、前記現在の日時が前記開始日時になると、前記録画装置指定情報にて示された録画装置に前記チャンネルにて放送される番組を録画させ、前記現在の日時が前記終了日時になると、該録画装置が行っている録画を停止する、録画管理方法。
【請求項８】
請求項７に記載の録画管理方法において、
前記複数の録画装置のそれぞれは、その録画装置に応じたチャンネル信号、該録画装置に応じた録画開始信号および該録画装置に応じた録画停止信号によって録画を制御され、
前記録画管理装置は、前記複数の録画装置ごとに、前記録画装置に応じた複数のチャンネル信号、該録画装置に応じた録画開始信号および該録画装置に応じた録画停止信号を格納する制御信号格納部を含み、
前記制御ステップでは、前記現在の日時が前記開始日時になると、前記制御信号格納部から、前記録画装置指定情報が示す録画装置に応じかつ前記チャンネルを示すチャンネル信号と、該録画装置に応じた録画開始信号とを読み出し、その読み出されたチャンネル信号および録画開始信号を該録画装置に出力して該録画装置に前記チャンネルにて放送される番組を録画させ、該現在の日時が前記終了日時になると、該制御信号格納部から該録画装置に応じた録画停止信号を読み出し、その読み出された録画停止信号を該録画装置に出力して該録画装置が行っている録画を停止する、録画管理方法。
【請求項９】
格納部と現在の日時を示す時計部とに接続されたコンピュータに、録画装置に録画予約番組を録画させる録画管理処理を実行させるプログラムであって、
電子番組ガイドを取得する取得処理と、
前記電子番組ガイドからユーザが前記録画予約番組として選択した番組を受け付ける入力処理と、
前記番組を放送するチャンネル、該番組の開始日時および該番組の終了日時を、前記電子番組ガイドから取得する予約情報取得処理と、
前記取得されたチャンネル、開始日時および終了日時を前記格納部に格納する格納処理と、
前記現在の日時が前記格納された開始日時になると、前記チャンネルにて放送される番組を前記録画装置に録画させ、該現在の日時が前記格納された終了日時になると、前記録画装置が行っている録画を停止する制御処理と、を含む録画管理処理を、前記コンピュータに実行させるプログラム。
【請求項１０】
格納部と現在の日時を示す時計部とに接続されたコンピュータに、録画装置に録画予約番組を録画させる録画管理処理を実行させるプログラムであって、
前記録画予約番組を放送するチャンネル、該番組の開始日時および該番組の終了日時を、ユーザから受け付ける入力処理と、
前記チャンネル、前記開始日時および前記終了日時を前記格納部に格納する格納処理と、
前記現在の日時が前記格納された開始日時になると、前記チャンネルにて放送される番組を前記録画装置に録画させ、該現在の日時が前記格納された終了日時になると、前記録画装置が行っている録画を停止する制御処理と、を含む録画管理処理を、前記コンピュータに実行させるプログラム。
【発明の詳細な説明】
【技術分野】
【０００１】
本発明は、録画管理装置、録画管理方法およびプログラムに関し、特には、録画予約された番組を録画装置に録画させる録画管理装置、録画管理方法およびプログラムに関する。
【背景技術】
【０００２】
従来、ユーザから録画予約を受け付け、その受け付けられた録画予約を録画装置に登録する録画管理装置が知られている。
【０００３】
例えば、特許文献１（特開２００４−２０７８６４号公報）には、ユーザがＥＰＧ（電子番組ガイド）を使用して録画予約を行うと、その録画予約に応じた録画予約情報を生成し、その生成された録画予約情報を、録画予約可能な録画装置に設定する予約装置が記載されている。
【特許文献１】特開２００４−２０７８６４号公報
【発明の開示】
【発明が解決しようとする課題】
【０００４】
特許文献１に記載の予約装置が用いられると、ＥＰＧを用いた録画予約に非対応の録画装置に対して、ＥＰＧを使用した録画予約を設定することが可能となる。
【０００５】
しかしながら、特許文献１に記載の予約装置は、録画予約情報を録画装置に設定するため、録画予約が変更される場合、新たな録画予約情報を生成し、その後、録画装置に設定されている録画予約情報を新たな録画予約情報に変更するという煩わしい処理を行わなければならない。さらに言えば、特許文献１に記載の予約装置は、録画予約情報を変更する際、録画装置に必ず電源を投入しなければならない。
【０００６】
本発明の目的は、録画予約変更時の煩わしい処理を少なくすることが可能な録画管理装置、録画管理方法およびプログラムを提供することである。
【課題を解決するための手段】
【０００７】
上記目的を達成するために、本発明の録画管理装置は、録画装置に録画予約番組を録画させる録画管理装置であって、電子番組ガイドを取得する取得部と、前記取得部にて取得された電子番組ガイドからユーザが前記録画予約番組として選択した番組を受け付ける入力部と、前記入力部にて受け付けられた番組を放送するチャンネル、該番組の開始日時および該番組の終了日時を、前記電子番組ガイドから取得する予約情報取得部と、前記予約情報取得部にて取得されたチャンネル、開始日時および終了日時を格納する格納部と、現在の日時を示す時計部と、前記時計部にて示される現在の日時が前記格納部に格納された開始日時になると、前記格納部に格納されたチャンネルにて放送される番組を前記録画装置に録画させ、該現在の日時が前記格納部に格納された終了日時になると、前記録画装置が行っている録画を停止する制御部とを含む。
【０００８】
また、本発明の録画管理方法は、録画装置に録画予約番組を録画させる録画管理装置が行う録画管理方法であって、電子番組ガイドを取得する取得ステップと、前記電子番組ガイドからユーザが前記録画予約番組として選択した番組を受け付ける入力ステップと、前記番組を放送するチャンネル、該番組の開始日時および該番組の終了日時を、前記電子番組ガイドから取得する予約情報取得ステップと、前記取得されたチャンネル、開始日時および終了日時を格納する格納ステップと、現在の日時を出力する出力ステップと、前記現在の日時が前記格納された開始日時になると、前記チャンネルにて放送される番組を前記録画装置に録画させ、該現在の日時が前記格納された終了日時になると、前記録画装置が行っている録画を停止する制御ステップとを含む。
【０００９】
上記発明によれば、電子番組ガイドからユーザが選択した番組を放送するチャンネル、その番組の開始日時およびその番組の終了日時が、録画装置ではなく録画管理装置に格納され、録画管理装置は、現在の日時が開始日時になると、録画装置にそのチャンネルにて放送される番組を録画させ、現在の日時が終了日時になると、録画装置が行っている録画を停止する。このため、録画装置に録画予約を設定することなく、録画予約された番組を録画装置に録画することが可能になる。
【００１０】
したがって、従来行われていたように、録画予約が変更されると、録画装置に電源を投入して録画装置に設定されている録画予約情報を新たな録画予約情報に変更するという煩わしい処理を不要にすることが可能になる。
【００１１】
よって、電子番組ガイドを用いた録画予約を可能としながら、録画予約変更時の煩わしい処理を少なくすることが可能になる。
【００１２】
また、本発明の録画管理装置は、録画装置に録画予約番組を録画させる録画管理装置であって、前記録画予約番組を放送するチャンネル、該番組の開始日時および該番組の終了日時を、ユーザから受け付ける入力部と、前記入力部にて受け付けられたチャンネル、開始日時および終了日時を格納する格納部と、現在の日時を示す時計部と、前記時計部にて示される現在の日時が前記格納部に格納された開始日時になると、前記格納部に格納されたチャンネルにて放送される番組を前記録画装置に録画させ、該現在の日時が前記格納部に格納された終了日時になると、前記録画装置が行っている録画を停止する制御部とを含む。
【００１３】
また、本発明の録画管理方法は、録画装置に録画予約番組を録画させる録画管理装置が行う録画管理方法であって、前記録画予約番組を放送するチャンネル、該番組の開始日時および該番組の終了日時を、ユーザから受け付ける入力ステップと、前記チャンネル、前記開始日時および前記終了日時を格納する格納ステップと、現在の日時を出力する出力ステップと、前記現在の日時が前記格納された開始日時になると、前記チャンネルにて放送される番組を前記録画装置に録画させ、該現在の日時が前記格納された終了日時になると、前記録画装置が行っている録画を停止する制御ステップとを含む。
【００１４】
上記発明によれば、ユーザが入力したチャンネル、開始日時および終了日時が、録画装置ではなく録画管理装置に格納され、録画管理装置は、現在の日時が開始日時になると、録画装置にそのチャンネルにて放送される番組を録画させ、現在の日時が終了日時になると、録画装置が行っている録画を停止する。このため、録画装置に録画予約を設定することなく、録画予約された番組を録画装置に録画することが可能になる。
【００１５】
したがって、従来行われていたように、録画予約が変更されると、録画装置に電源を投入して録画装置に設定されている録画予約情報を新たな録画予約情報に変更するという煩わしい処理を不要にすることが可能になる。
【００１６】
また、前記録画装置が複数あり、前記複数の録画装置のいずれかを示す録画装置指定情報がユーザから受け付けられ、前記録画管理装置は、前記現在の日時が前記開始日時になると、前記録画装置指定情報にて示された録画装置に前記チャンネルにて放送される番組を録画させ、該現在の日時が前記終了日時になると、該録画装置が行っている録画を停止することが望ましい。
【００１７】
上記発明によれば、ユーザが録画したい番組を、ユーザが指定した録画装置に録画することが可能になる。
【００１８】
また、前記複数の録画装置のそれぞれは、その録画装置に応じたチャンネル信号、該録画装置に応じた録画開始信号および該録画装置に応じた録画停止信号によって録画を制御され、前記複数の録画装置ごとに、各チャンネルを示す前記録画装置に応じた複数のチャンネル信号、該録画装置に応じた録画開始信号および該録画装置に応じた録画停止信号を格納する制御信号格納部が含まれ、前記現在の日時が前記開始日時になると、前記制御信号格納部から、前記録画装置指定情報が示す録画装置に応じかつ前記チャンネルを示すチャンネル信号と、該録画装置に応じた録画開始信号とを読み出し、その読み出されたチャンネル信号および録画開始信号を録画装置に出力して該録画装置に前記チャンネルにて放送される番組を録画させ、該現在の日時が前記終了日時になると、該制御信号格納部から該録画装置に応じた録画停止信号を読み出し、その読み出された録画停止信号を該録画装置に出力して該録画装置が行っている録画を停止することが望ましい。
【００１９】
上記発明によれば、複数の録画装置として互いに異なる種類の録画装置が用いられても、それらの録画装置にユーザが録画したい番組を録画させることが可能となる。
【００２０】
本発明のプログラムは、格納部と現在の日時を示す時計部とに接続されたコンピュータに、録画装置に録画予約番組を録画させる録画管理処理を実行させるプログラムであって、電子番組ガイドを取得する取得処理と、前記電子番組ガイドからユーザが前記録画予約番組として選択した番組を受け付ける入力処理と、前記番組を放送するチャンネル、該番組の開始日時および該番組の終了日時を、前記電子番組ガイドから取得する予約情報取得処理と、前記取得されたチャンネル、開始日時および終了日時を前記格納部に格納する格納処理と、前記現在の日時が前記格納された開始日時になると、前記チャンネルにて放送される番組を前記録画装置に録画させ、該現在の日時が前記格納された終了日時になると、前記録画装置が行っている録画を停止する制御処理とを含む録画管理処理を、前記コンピュータに実行させる。
【００２１】
また、本発明のプログラムは、格納部と現在の日時を示す時計部とに接続されたコンピュータに、録画装置に録画予約番組を録画させる録画管理処理を実行させるプログラムであって、前記録画予約番組を放送するチャンネル、該番組の開始日時および該番組の終了日時を、ユーザから受け付ける入力処理と、前記チャンネル、前記開始日時および前記終了日時を前記格納部に格納する格納処理と、前記現在の日時が前記格納された開始日時になると、前記チャンネルにて放送される番組を前記録画装置に録画させ、該現在の日時が前記格納された終了日時になると、前記録画装置が行っている録画を停止する制御処理とを含む録画管理処理を、前記コンピュータに実行させる。
【００２２】
上記発明によれば、上記録画管理方法をコンピュータに実行させることが可能になる。
【発明の効果】
【００２３】
本発明によれば、録画予約変更時の煩わしい処理を少なくすることが可能となる。
【発明を実施するための最良の形態】
【００２４】
以下、本発明の一実施例について図面を参照して説明する。
【００２５】
図１は、本発明の一実施例の録画管理装置を示したブロック図である。さらに言えば、図１は、本実施例の録画管理装置を用いた録画管理システムを示したブロック図である。
【００２６】
図１において、録画管理システムは、複数の録画装置１ａないし１ｃと、録画管理装置２と、アンテナ３と、ＥＰＧ（電子番組ガイド）提供部４と、リモートコントローラ（以下「リモコン」と称する。）５と、テレビジョン装置（以下「ＴＶ」と称する。）６とを含む。
【００２７】
録画装置１ａは、リモコン受光部１ａ１および出力端子１ａ２を含み、録画装置１ｂはリモコン受光部１ｂ１および出力端子１ｂ２を含み、録画装置１ｃはリモコン受光部１ｃ１および出力端子１ｃ２を含む。
【００２８】
録画管理装置２は、ＥＰＧ取得部２ａと、アンテナ端子２ｂと、通信用端子２ｃと、ＥＰＧ格納部２ｄと、リモコン受光部２ｅと、録画予約格納部２ｆと、時間管理部２ｇと、制御部２ｈと、制御出力部２ｉ１ないし２ｉ３と、メモリ２ｊと、外部入力部２ｋ１ないし２ｋ３と、セレクタ２ｌと、Ａ／Ｄ変換部２ｍと、ＯＳＤ（On Screen Display）重畳部２ｎと、Ｄ／Ａ変換部２ｏとを含む。
【００２９】
時間管理部２ｇは、時計部２ｇ１と日時格納部２ｇ２と比較部２ｇ３とを含む。制御部２ｈは、制御コード格納部２ｈ１と、マイクロコンピュータ（以下「マイコン」と称する。）２ｈ２とを含む。マイコン２ｈ２は、予約情報取得部２ｈ２ａを含む。
【００３０】
録画装置１ａは、例えば、Ａ社製のＥＰＧに対応していない既存のＤＶＤレコーダである。なお、録画装置１ａは、ＥＰＧを用いた録画予約が可能な既存の録画装置でもよい。
【００３１】
録画装置１ａは、リモコン受光部１ａ１が録画装置１ａに応じたチャンネル信号および録画装置１ａに応じた録画開始信号を受け付けると、そのチャンネル信号にて示されたチャンネルで放送されている番組を録画し、一方、リモコン受光部１ａ１が録画装置１ａに応じた録画停止信号を受け付けると、番組の録画を停止する。
【００３２】
なお、リモコン受光部１ａ１は、録画管理装置２の制御出力部２ｉ１と対応づけられており、制御出力部２ｉ１が発する光（録画装置１ａに応じたチャンネル信号と、録画装置１ａに応じた録画開始信号と、録画装置１ａに応じた録画停止信号）を受光する。
【００３３】
また、録画装置１ａは、録画された番組または放送中の番組を出力端子１ａ２から録画管理装置２の外部入力部２ｋ１に出力する。なお、出力端子１ａ２は、外部入力部２ｋ１と対応する。
【００３４】
録画装置１ｂは、例えば、Ｂ社製のＥＰＧに対応していない既存のＶＴＲ（ビデオテープレコーダ）である。なお、録画装置１ｂは、ＥＰＧを用いた録画予約が可能な既存の録画装置でもよい。
【００３５】
録画装置１ｂは、リモコン受光部１ｂ１が録画装置１ｂに応じたチャンネル信号および録画装置１ｂに応じた録画開始信号を受け付けると、そのチャンネル信号にて示されたチャンネルで放送されている番組を録画する。また、録画装置１ｂは、リモコン受光部１ｂ１が録画装置１ｂに応じた録画停止信号を受け付けると、番組の録画を停止する。
【００３６】
なお、リモコン受光部１ｂ１は、録画管理装置２の制御出力部２ｉ２と対応づけられており、制御出力部２ｉ２が発する光（録画装置１ｂに応じたチャンネル信号と、録画装置１ｂに応じた録画開始信号と、録画装置１ｂに応じた録画停止信号）を受光する。
【００３７】
また、録画装置１ｂは、録画された番組または放送中の番組を出力端子１ｂ２から録画管理装置２の外部入力部２ｋ２に出力する。なお、出力端子１ｂ２は、外部入力部２ｋ２と対応する。
【００３８】
録画装置１ｃは、例えば、Ｃ社製のＥＰＧに対応していない既存のＶＴＲである。なお、録画装置１ｃは、ＥＰＧを用いた録画予約が可能な既存の録画装置でもよい。
【００３９】
録画装置１ｃは、リモコン受光部１ｃ１が録画装置１ｃに応じたチャンネル信号および録画装置１ｃに応じた録画開始信号を受け付けると、そのチャンネル信号にて示されたチャンネルで放送されている番組を録画する。また、録画装置１ｃは、リモコン受光部１ｃ１が録画装置１ｃに応じた録画停止信号を受け付けると、番組の録画を停止する。
【００４０】
なお、リモコン受光部１ｃ１は、録画管理装置２の制御出力部２ｉ３と対応づけられており、制御出力部２ｉ３が発する光（録画装置１ｃに応じたチャンネル信号と、録画装置１ｃに応じた録画開始信号と、録画装置１ｃに応じた録画停止信号）を受光する。
【００４１】
また、録画装置１ｃは、録画された番組または放送中の番組を出力端子１ｃ２から録画管理装置２の外部入力部２ｋ３に出力する。なお、出力端子１ｃ２は、外部入力部２ｋ３と対応する。
【００４２】
なお、本実施例では、３台の録画装置を用いているが、録画装置の数は３台に限らず適宜変更可能である。
【００４３】
録画管理装置２は、ユーザから番組の録画予約が入力されると、その録画予約された番組を録画装置１ａないし１ｃに録画させる。また、録画管理装置２は、録画装置１ａないし１ｃから出力された番組を受け付け、その受け付けられた番組をＴＶ６に出力する。ＴＶ６は、その番組を受け付けると、その番組の映像を表示するとともにその番組の音声を出力する。また、録画管理装置２は、ＥＰＧを取得し、その取得されたＥＰＧをＴＶ６に表示する。
【００４４】
ＥＰＧ取得部２ａは、マイコン２ｈ２からの指示に基づいてＥＰＧを取得する。換言すると、マイコン２ｈ２は、ＥＰＧ取得部２ａを用いてＥＰＧを取得する。例えば、ＥＰＧ取得部２ａは、アンテナ端子２ｂに接続されたアンテナ３からＥＰＧを取得してもよいし、通信用端子２ｃに接続されたＥＰＧ提供部４からＥＰＧを取得してもよい。
【００４５】
ＥＰＧ取得部２ａは、その取得されたＥＰＧをマイコン２ｈ２に出力する。マイコン２ｈ２は、ＥＰＧを受け付けると、その受け付けられたＥＰＧをＥＰＧ格納部２ｄに格納する。
【００４６】
リモコン受光部２ｅは、ユーザの入力を受け付ける。具体的には、リモコン受光部２ｅは、リモコン５から投射されるユーザの入力を示す光を受け付ける。なお、リモコン５は、ユーザの入力を受け付け、その受け付けられた入力の内容を示す光を投射する。このため、リモコン受光部２ｅは、リモコン５を介して、ユーザの入力を受け付ける。
【００４７】
ユーザは、リモコン５を操作して、ＴＶ６に表示されたＥＰＧから録画予約したい番組を選択する。例えば、ユーザは、リモコン５の上下左右ボタン（不図示）を操作してＥＰＧから録画したい番組を示す番組枠を選択し、その後、リモコン５の録画予約ボタン（不図示）を押することによって、録画予約したい番組を選択する。
【００４８】
また、ユーザは、リモコン５を操作して、その録画予約したい番組を録画する録画装置（本実施例では、録画装置１ａないし１ｃ）を特定するための録画装置指定情報を入力する。なお、録画装置指定情報は、録画予約したい番組を録画する録画装置を示す情報でもよいし、その録画装置に対応する制御出力部を示す情報でもよい。
【００４９】
リモコン５は、ユーザがＥＰＧから録画したい番組を選択するために行った操作を示す録画番組決定操作情報（ユーザが選択した番組を特定する情報）と、その入力された録画装置指定情報をリモコン受光部２ｅに送信する。
【００５０】
リモコン受光部２ｅは、リモコン５から録画番組決定操作情報および録画装置指定情報を受け付けると、その受け付けられた録画番組決定操作情報にて特定される番組および録画装置指定情報を予約情報取得部２ｈ２ａに出力する。
【００５１】
予約情報取得部２ｈ２ａは、録画番組決定操作情報にて特定される番組を放送するチャンネル、その番組の開始日時およびその番組の終了日時を、ＥＰＧ格納部２ｄに格納されているＥＰＧから取得する。
【００５２】
予約情報取得部２ｈ２ａは、その取得されたチャンネル、開始日時および終了日時を、リモコン受光部２ｅから受け付けた録画装置指定情報と関連づけて、録画予約格納部２ｆに格納する。
【００５３】
録画予約格納部２ｆは、予約情報取得部２ｈ２ａにて取得されたチャンネル、開始日時および終了日時を、リモコン受光部２ｅから受け付けた録画装置指定情報と関連づけて格納する。
【００５４】
図２は、録画予約格納部２ｆの一例を示した説明図である。
【００５５】
図２において、録画予約格納部２ｆは、録画装置指定情報２ｆ１と、チャンネル２ｆ２と、開始日時２ｆ３と、終了日時２ｆ４とを関連づけて格納する。
【００５６】
図１に戻って、予約情報取得部２ｈ２ａは、その開始日時および終了日時を、日時格納部２ｇ２に格納する。
【００５７】
時間管理部２ｇは、現在の日時が開始日時になるとイベント通知を発生し、また、現在の日時が終了日時になるとイベント通知を発生する。
【００５８】
具体的には、時計部２ｇ１は、現在の日時を示し、その現在の日時を比較部２ｇ３およびマイコン２ｈ２に出力する。比較部２ｇ３は、時計部２ｇ１から出力された現在の日時が、時刻格納部２ｇ２に格納された開始日時または終了日時になると、イベント通知を発生する。
【００５９】
制御部２ｈは、時計部２ｇ１にて示される現在の日時が時刻格納部２ｇ２に格納された開始日時になってイベント通知が発生すると、その開始日時と関連づけて録画予約格納部２ｆに格納されている録画装置指定情報およびチャンネルを読み出す。続いて、制御部２ｈは、その読み出された録画装置指定情報にて示された録画装置に、その読み出されたチャンネルにて放送される番組を録画させる。
【００６０】
また、制御部２ｈは、時計部２ｇ１にて示される現在の日時が時刻格納部２ｇ２に格納された終了日時になってイベント通知が発生すると、その終了日時と関連づけて録画予約格納部２ｆに格納されている録画装置指定情報を読み出す。続いて、制御部２ｈは、その読み出された録画装置指定情報にて示された録画装置が行っている録画を停止する。
【００６１】
制御コード格納部２ｈ１は、制御信号格納部の一例であり、録画装置１ごとに、録画装置に応じた複数のチャンネル信号、その録画装置に応じた録画開始信号、その録画装置に応じた録画停止信号、その録画装置に応じた電源オン信号およびその録画装置に応じた電源オフ信号を格納する。
【００６２】
なお、録画装置に応じた複数のチャンネル信号、その録画装置に応じた録画開始信号、その録画装置に応じた録画停止信号、その録画装置に応じた電源オン信号およびその録画装置に応じた電源オフ信号は、録画管理装置２の製造時に録画装置単位で制御コード格納部２ｈ１に格納されてもよい。
【００６３】
この場合、ユーザは、制御コード格納部２ｈ１に録画装置単位で格納されている複数のチャンネル信号、録画開始信号、録画停止信号、電源オン信号および電源オフ信号を、録画管理装置２に接続された録画装置（例えば、その録画装置を特定するための録画装置指定情報）に録画装置単位で対応づける設定を行う。
【００６４】
一方、録画管理装置２の出荷時に、録画装置に応じた複数のチャンネル信号、その録画装置に応じた録画開始信号、その録画装置に応じた録画停止信号、その録画装置に応じた電源オン信号およびその録画装置に応じた電源オフ信号が、制御コード格納部２ｈ１に格納されていない場合、ユーザは、録画管理装置２に接続された録画装置に応じた複数のチャンネル信号、その録画装置に応じた録画開始信号、その録画装置に応じた録画停止信号、その録画装置に応じた電源オン信号およびその録画装置に応じた電源オフ信号を、制御コード格納部２ｈ１に格納する。
【００６５】
例えば、ユーザは、リモコン５を操作して録画管理装置２を制御コード学習モード（チャンネル信号、録画開始信号および録画終了信号を格納するためのモード）に設定し、その後、録画管理装置２に接続された録画装置のリモコンを操作して、その録画装置に応じた複数のチャンネル信号、録画開始信号、録画停止信号、電源オン信号および電源オフ信号を制御コード格納部２ｈ１に格納する。
【００６６】
続いて、ユーザは、その録画装置を特定するための録画装置指定情報を、その録画装置に応じた複数のチャンネル信号、録画開始信号、録画停止信号、電源オン信号および電源オフ信号と関連づけて制御コード格納部２ｈ１に格納する。
【００６７】
メモリ２ｊは、コンピュータによって読み取り可能な記録媒体であり、録画管理装置２の動作を規定するプログラムを記録している。
【００６８】
マイコン２ｈ２は、メモリ２ｊに記録されているプログラムを読み取り、その読み取ったプログラムを実行して種々の機能（例えば、予約情報取得部２ｈ２ａの機能と録画制御部の機能）を実現する。
【００６９】
例えば、マイコン２ｈ２は、時計部２ｇ１にて示される現在の日時が開始日時になってイベント通知が発生すると、録画予約格納部２ｆに格納されている開始日時および終了日時から、時計部２ｇ１にて示される現在の日時を示す開始日時または終了日時を検索する。この場合、現在の日時を示す開始日時が検索結果となる。
【００７０】
マイコン２ｈ２は、その開始日時と関連づけて録画予約格納部２ｆに格納されている録画装置指定情報およびチャンネルを読み出す。
【００７１】
その後、マイコン２ｈ２は、制御コード格納部２ｈ１から、その録画装置指定情報が示す録画装置に応じかつそのチャンネルを示すチャンネル信号と、その録画装置に応じた録画開始信号とを読み出す。
【００７２】
続いて、マイコン２ｈ２は、その読み出されたチャンネル信号および録画開始信号をその録画装置に対応する制御出力部２ｉから出力してその録画装置にそのチャンネルにて放送される番組を録画させる。
【００７３】
また、マイコン２ｈ２は、時計部２ｇ１にて示される現在の日時が終了日時になってイベント通知が発生すると、録画予約格納部２ｆに格納されている開始日時および終了日時から、時計部２ｇ１にて示される現在の日時を示す開始日時または終了日時を検索する。この場合、現在の日時を示す終了日時が検索結果となる。
【００７４】
マイコン２ｈ２は、その終了日時と関連づけて録画予約格納部２ｆに格納されている録画装置指定情報を読み出す。
【００７５】
その後、マイコン２ｈ２は、制御コード格納部２ｈ１から、その録画装置指定情報が示す録画装置に応じた録画停止信号を読み出す。
【００７６】
続いて、マイコン２ｈ２は、その読み出された録画停止信号をその録画装置に対応する制御出力部２ｉから出力してその録画装置が行っている録画を停止する。
【００７７】
制御出力部２ｉ１ないし２ｉ３は、自己に対応する記録装置１のリモコン受光部１ａに光（その対応する録画装置１に応じたチャンネル信号と、その録画装置１に応じた録画開始信号と、その録画装置１に応じた録画停止信号）を発する。
【００７８】
外部入力部２ｋ１ないし２ｋ３は、自己に対応する録画装置１の出力端子１とケーブルを介して接続される。このため、外部入力部２ｋ１ないし２ｋ３は、自己に対応する録画装置１から番組（映像と音声）を受け付ける。
【００７９】
セレクタ２ｌは、外部入力部２ｋ１〜２ｋ３と接続され、マイコン２ｈ２の指示に基づいて、外部入力部２ｋ１〜２ｋ３の出力（番組）のいずれかを選択して出力する。
【００８０】
Ａ／Ｄ変換部２ｍは、セレクタ２ｌの出力をＡ／Ｄ変換する。
【００８１】
ＯＳＤ重畳部２ｎは、マイコン２ｈ２から供給されるユーザ提示用の情報（例えばＥＰＧ）を、Ａ／Ｄ変換部２ｍの出力に含まれる映像に重畳して出力する。なお、ＯＳＤ重畳部２ｎは、Ａ／Ｄ変換部２ｍの出力に含まれる音声については、その音声を加工せずに出力する。
【００８２】
Ｄ／Ａ変換部２ｏは、ＯＳＤ重畳部２ｎの出力をＤ／Ａ変換する。
【００８３】
アンテナ３は、例えば放送局から送信されたＥＰＧを含む電波を受信する。
【００８４】
ＥＰＧ提供部４は、例えばＥＰＧ提供サーバであり、インターネット等の通信回線を介して、ＥＰＧを通信用端子２ｃに提供する。
【００８５】
リモコン５は、録画管理装置２に対応するリモコンであり、ユーザの入力を受け付け、その受け付けられた入力を光信号でリモコン受光部２ｅに送信する。
【００８６】
ＴＶ６は、録画管理装置２に接続されている。
【００８７】
次に、動作を説明する。
【００８８】
最初に、制御コード格納部２ｈ１の設定について説明する。
【００８９】
録画装置に応じた複数のチャンネル信号、その録画装置に応じた録画開始信号およびその録画装置に応じた録画停止信号が、録画管理装置２の製造時に録画装置単位で制御コード格納部２ｈ１に格納されている場合、制御コード格納部２ｈ１は以下のように設定される。
【００９０】
なお、同じメーカの録画装置は、同じチャンネル信号、同じ録画開始信号および同じ録画停止信号によって制御されるものとし、制御コード格納部２ｈ１は、メーカ別に、メーカ名、チャンネル信号、録画開始信号および録画停止信号を関連づけて予め格納しているものとする。
【００９１】
ユーザは、制御コード格納部２ｈ１に格納されているメーカ名の表示を要求するメーカ名表示要求を、リモコン５に入力する。リモコン５は、メーカ名表示要求を受け付けると、そのメーカ名表示要求を送信する。リモコン受光部２ｅは、その送信されたメーカ名表示要求を受け付けると、そのメーカ名表示要求をマイコン２ｈ２に出力する。
【００９２】
マイコン２ｈ２は、そのメーカ名表示要求を受け付けると、制御コード格納部２ｈ１に格納されているメーカ名を読み出し、その読み出されたメーカ名をＯＳＤ重畳部２ｎに出力する。
【００９３】
ＯＳＤ重畳部２ｎは、その読み出されたメーカ名を受け付けると、そのメーカ名をＡ／Ｄ変換部２ｍから出力される映像信号に重畳し、そのメーカ名が重畳された映像信号をＤ／Ａ変換部２ｏに出力する。なお、Ａ／Ｄ変換部２ｍが映像信号を出力していない場合、ＯＳＤ重畳部２ｎは、そのメーカ名を出力する。
【００９４】
Ｄ／Ａ変換部２ｏは、そのメーカ名が重畳された映像信号をＤ／Ａ変換し、そのＤ／Ａ変換された映像信号をＴＶ６に出力する。このため、ＴＶ６は、メーカ名が重畳された映像を表示する。
【００９５】
ユーザは、リモコン５を操作して、ＴＶ６に表示されたメーカ名から録画装置１ａのメーカ（Ａ社）を選択し、さらに録画装置１ａを特定するための録画装置指定情報をリモコン５に入力する。
【００９６】
リモコン５は、その入力を受け付けると、メーカ（Ａ社）を選択した旨のメーカ選択通知と、その録画装置指定情報とを送信する。リモコン受光部２ｅは、その送信されたメーカ選択通知および録画装置指定情報を受け付けると、そのメーカ選択通知および録画装置指定情報とをマイコン２ｈ２に出力する。
【００９７】
マイコン２ｈ２は、メーカ選択通知と録画装置指定情報とを受け付けると、そのメーカ選択通知にて指定されたメーカ名と関連づけて格納されているチャンネル信号、録画開始信号および録画停止信号を指定し、その後、その録画装置指定情報（録画装置１ａを特定するための録画装置指定情報）を、その指定されたチャンネル信号、録画開始信号および録画停止信号に関連づけて制御コード格納部２ｈ１に格納する。この動作によって、チャンネル信号、録画開始信号および録画停止信号と、録画装置１ａとの対応が設定される。
【００９８】
以下、録画装置１ｂおよび録画装置１ｃと、チャンネル信号、録画開始信号および録画停止信号との対応についても、録画装置１ａと同様に設定する。
【００９９】
次に、録画管理装置２の出荷時に、録画装置に応じた複数のチャンネル信号、その録画装置に応じた録画開始信号およびその録画装置に応じた録画停止信号が、制御コード格納部２ｈ１に格納されていない場合の制御コード格納部２ｈ１の設定動作を説明する。
【０１００】
なお、図３に示したように、録画装置１ａ１は録画装置１ａ１用のリモコン１ａ３によって制御され、録画装置１ｂ１は録画装置１ｂ１用のリモコン１ｂ３によって制御され、また、録画装置１ｃ１は録画装置１ｃ１用のリモコン１ｃ３によって制御されるものとする。図３において、図１に示したものと同一のものには同一符号を付してある。
【０１０１】
図４は、録画管理装置２の出荷時、制御コード格納部２ｈ１に、複数のチャンネル信号、録画開始信号および録画停止信号が格納されていない場合の動作を説明するためのフローチャートである。
【０１０２】
以下、図４を参照して、制御コード格納部２ｈ１の設定動作を説明する。
【０１０３】
ユーザは、録画管理装置２を制御コード学習モードに設定する旨の設定要求をリモコン５に入力する。リモコン５は、設定要求を受け付けると、その設定要求を送信する。リモコン受光部２ｅは、その送信された設定要求を受け付けると、その設定要求をマイコン２ｈ２に出力する。
【０１０４】
マイコン２ｈ２は、その設定要求を受け付けると、ステップ４１を実行する。
【０１０５】
ステップ４１では、マイコン２ｈ２は、制御コード学習モードを起動する。マイコン２ｈ２は、ステップ４１を終了すると、ステップ４２を実行する。
【０１０６】
ステップ４２では、マイコン２ｈ２は、制御リストをＯＳＤ重畳部２ｎに出力する。なお、制御リストは、例えば、制御コード格納部２ｈ１に格納されているものとする。
【０１０７】
図５は、制御リストの一例を示した説明図である。
【０１０８】
図５において、制御リスト４２ａは、録画装置指定情報４２ａ１と、チャンネル信号４２ａ２と、録画開始信号４２ａ３と、録画停止信号４２ａ４と、電源オン信号４２ａ５と、電源オフ信号４２ａ６とを関連づけている。
【０１０９】
図４に戻って、ＯＳＤ重畳部２ｎは、制御リストを受け付けると、その制御リストをＡ／Ｄ変換部２ｍから出力される映像信号に重畳する。その後、Ｄ／Ａ変換部２ｏは、その制御リストが重畳された映像信号をＤ／Ａ変換し、そのＤ／Ａ変換された映像信号をＴＶ６に出力する。このため、ＴＶ６は、制御リストが重畳された映像を表示する。その後、ステップ４３が実行される。
【０１１０】
ステップ４３では、ユーザは、リモコン５を操作して、制御リスト中の録画装置指定情報４２ａ１の欄に、録画装置１ａないし１ｃの録画装置指定情報を登録する。
【０１１１】
その後、ユーザは、リモコン５を操作して空白セルを指定する。その後、ユーザは、その指定された空白セルに対応する録画装置のリモコンを操作して、その指定された空白セルに対応する信号をそのリモコンから送信し、その指定された空白セルに信号を登録する。
【０１１２】
以下、ユーザは、録画装置１ａないし１ｃの録画装置指定情報に関連づけられた空白セルがなくなるまで、その空白セルに対応する信号を登録する動作を繰り返す。
【０１１３】
録画装置１ａないし１ｃの録画装置指定情報に関連づけられた空白セルがなくなると、ユーザは、リモコン５を操作して登録終了通知を送信する。
【０１１４】
一方、マイコン２ｈ２は、指定された空白セルにリモコン受光部２ｅが受け付けたリモコン信号を登録するたびに、ステップ４４を実行する。
【０１１５】
ステップ４４では、マイコン２ｈ２は、リモコン受光部２ｅが登録終了通知を受け付けたか否かを判断し、リモコン受光部２ｅが登録終了通知を受け付けていないとステップ４２を実行し、一方、リモコン受光部２ｅが登録終了通知を受け付けると、その登録された制御リストを制御コード格納部２ｈ１に格納して制御コード学習モードを終了する。
【０１１６】
次に、録画予約動作を説明する。
【０１１７】
図６は、録画予約動作を説明するためのフローチャートである。以下、図６を参照して録画予約動作を説明する。
【０１１８】
ユーザは、録画予約モードに設定する旨の録画予約要求をリモコン５に入力する。リモコン５は、録画予約要求を受け付けると、その録画予約要求を送信する。リモコン受光部２ｅは、その送信された録画予約要求を受け付けると、その録画予約要求をマイコン２ｈ２に出力する。
【０１１９】
マイコン２ｈ２は、録画予約要求を受け付けると、録画予約モードを開始してステップ６１を実行する。
【０１２０】
ステップ６１では、マイコン２ｈ２は、ＥＰＧ格納部２ｄからＥＰＧを読み出し、その読み出されたＥＰＧをＯＳＤ重畳部２ｎに出力する。ＯＳＤ重畳部２ｎは、マイコン２ｈ２から供給されたＥＰＧをＡ／Ｄ変換部２ｍの出力に含まれる映像に重畳して出力し、Ｄ／Ａ変換部２ｏはＯＳＤ重畳部２ｎの出力をＤ／Ａ変換してＴＶ６に出力し、ＴＶ６はＤ／Ａ変換部２ｏの出力に基づいてＥＰＧを表示する。
【０１２１】
ステップ６１が終了すると、ステップ６２が実行される。
【０１２２】
ステップ６２では、ユーザは、リモコン５を操作して、ＴＶ６に表示されたＥＰＧから録画予約したい番組を選択する。例えば、ユーザは、リモコン５の上下左右ボタン（不図示）を操作してＥＰＧから録画したい番組を示す番組枠を選択し、その後、リモコン５の録画予約ボタン（不図示）を押することによって、録画予約したい番組を選択する。また、ユーザは、リモコン５を操作して、その録画予約したい番組を録画する録画装置を特定するための録画装置指定情報を入力する。
【０１２３】
リモコン５は、ユーザがＥＰＧから録画したい番組を選択するために行った操作を示す録画番組決定操作情報（ユーザが選択した番組を特定する情報）と、その入力された録画装置指定情報を送信する。
【０１２４】
リモコン受光部２ｅは、リモコン５から録画番組決定操作情報および録画装置指定情報を受け付けると、その受け付けられた録画番組決定操作情報にて特定される番組および録画装置指定情報を予約情報取得部２ｈ２ａに出力する。
【０１２５】
予約情報取得部２ｈ２ａは、録画番組決定操作情報にて特定される番組および録画装置指定情報を受け付けると、ステップ６３を実行する。
【０１２６】
ステップ６３では、予約情報取得部２ｈ２ａは、録画番組決定操作情報にて特定される番組を放送するチャンネル、その番組の開始日時およびその番組の終了日時を、ＥＰＧ格納部２ｄに格納されているＥＰＧから取得する。予約情報取得部２ｈ２ａは、その取得されたチャンネル、開始日時および終了日時を、リモコン受光部２ｅから受け付けた録画装置指定情報と関連づけて、録画予約格納部２ｆに格納する。
【０１２７】
予約情報取得部２ｈ２ａは、ステップ６３を終了すると、ステップ６４を実行する。
【０１２８】
ステップ６４では、予約情報取得部２ｈ２ａは、その開始日時および終了日時を、日時格納部２ｇ２に格納し、その後、録画予約モードを終了する。
【０１２９】
次に、録画管理動作を説明する。
【０１３０】
図７は、録画管理動作を説明するためのフローチャートである。以下、図７を参照して録画管理動作を説明する。
【０１３１】
比較部２ｇ３は、時計部２ｇ１から出力された現在の日時が、時刻格納部２ｇ２に格納された開始日時または終了日時になると、イベント通知を発生する。
【０１３２】
ステップ７１では、マイコン２ｈ２は、比較部２ｇ３がイベント通知を発生したか否か判断する。マイコン２ｈ２は、比較部２ｇ３がイベント通知を発生していないとステップ７１を繰り返し、一方、比較部２ｇ３がイベント通知を発生するとステップ７２を実行する。
【０１３３】
ステップ７２では、マイコン２ｈ２は、録画予約格納部２ｆに格納されている開始日時および終了日時から、時計部２ｇ１にて示される現在の日時を示す開始日時または終了日時を検索する。マイコン２ｈ２は、ステップ７２を終了すると、ステップ７３を実行する。
【０１３４】
ステップ７３では、マイコン２ｈ２は、ステップ７２の検索結果が開始日時であるか否かを判断する。マイコン２ｈ２は、ステップ７２の検索結果が開始日時である場合、ステップ７４を実行し、一方、ステップ７２の検索結果が終了日時である場合、ステップ７５を実行する。
【０１３５】
ステップ７４では、マイコン２ｈ２は、その検索された開始日時と関連づけて録画予約格納部２ｆに格納されている録画装置指定情報およびチャンネルを読み出す。続いて、マイコン２ｈ２は、制御コード格納部２ｈ１から、その録画装置指定情報が示す録画装置に応じかつそのチャンネルを示すチャンネル信号と、その録画装置に応じた録画開始信号と、その録画装置に応じた電源オン信号とを読み出す。
【０１３６】
続いて、マイコン２ｈ２は、その読み出された録画装置指定情報が示す録画装置に対応する制御出力部２ｉから、その読み出された電源オン信号を出力して、その録画装置に電源を供給する。続いて、マイコン２ｈ２は、その読み出されたチャンネル信号および録画開始信号をその録画装置に対応する制御出力部２ｉから出力してその録画装置にそのチャンネルにて放送される番組を録画させる。マイコン２ｈ２は、ステップ７４を終了すると、ステップ７１を実行する。
【０１３７】
一方、ステップ７５では、マイコン２ｈ２は、その検索された終了日時と関連づけて録画予約格納部２ｆに格納されている録画装置指定情報を読み出す。その後、マイコン２ｈ２は、制御コード格納部２ｈ１から、その録画装置指定情報が示す録画装置に応じた録画停止信号と、その録画装置に応じた電源オフ信号を読み出す。
【０１３８】
続いて、マイコン２ｈ２は、その読み出された録画停止信号を、その録画装置指定情報が示す録画装置に対応する制御出力部２ｉから出力してその録画装置が行っている録画を停止する。続いて、マイコン２ｈ２は、その読み出された電源オフ信号を、その録画装置指定情報が示す録画装置に対応する制御出力部２ｉから出力してその録画装置の電源をオフにする。マイコン２ｈ２は、ステップ７５を終了するとステップ７１を実行する。
【０１３９】
本実施例では、ユーザがＥＰＧから選択した番組を放送するチャンネル、その番組の開始日時およびその番組の終了日時が、録画装置１ではなく録画管理装置２に格納され、録画管理装置２は、現在の日時が開始日時になると、録画装置１にそのチャンネルにて放送される番組を録画させ、現在の日時が終了日時になると、録画装置１が行っている録画を停止する。このため、録画装置１に録画予約を設定することなく、録画予約された番組を録画装置１に録画することが可能になる。
【０１４０】
したがって、従来行われていたように、録画予約が変更されると、録画装置１に電源を投入して録画装置１に設定されている録画予約情報を新たな録画予約情報に変更するという煩わしい処理を不要にすることが可能になる。
【０１４１】
よって、電子番組ガイドを用いた録画予約を可能としながら、録画予約変更時の煩わしい処理を少なくすることが可能になる。
【０１４２】
また、本実施例では、複数の録画装置１のいずれかを示す録画装置指定情報がユーザから受け付けられ、録画管理装置２は、現在の日時が開始日時になると、録画管理装置２に格納されたチャンネルにて放送される番組を録画装置指定情報にて示された録画装置１に録画させ、現在の日時が終了日時になると、その録画装置１が行っている録画を停止する。
【０１４３】
このため、ユーザが録画したい番組を、ユーザが指定した録画装置に録画することが可能になる。
【０１４４】
また、本実施例では、マイコン２ｈ２は、現在の日時が開始日時になると、制御コード格納部２ｈ１から、録画装置指定情報が示す録画装置に応じかつ録画管理装置２に格納されたチャンネルを示すチャンネル信号と、その録画装置に応じた録画開始信号とを読み出し、その読み出されたチャンネル信号および録画開始信号をその録画装置に出力してその録画装置に前記チャンネルにて放送される番組を録画させる。
【０１４５】
また、マイコン２ｈ２は、現在の日時が終了日時になると、制御コード格納部２ｈ１から録画装置指定情報が示す録画装置に応じた録画停止信号を読み出し、その読み出された録画停止信号をその録画装置に出力してその録画装置が行っている録画を停止する。
【０１４６】
この場合、複数の録画装置として互いに異なる種類の録画装置が用いられても、それらの録画装置にユーザが録画したい番組を録画させることが可能となる。
【０１４７】
また、本実施例によれば、録画予約された番組を録画予約が行えない録画装置に録画させることが可能になる。
【０１４８】
また、本実施例によれば、録画管理装置２のリモコン５で、複数の録画装置１ａ〜１ｃの録画動作を制御することが可能になる。このため、ユーザは、動作させたい録画装置が変わるたびに、その録画装置を動作させるリモコンを取り替える必要がなくなる。
【０１４９】
以上説明した実施例において、図示した構成は単なる一例であって、本発明はその構成に限定されるものではない。
【０１５０】
例えば、本実施例では、入力部としてリモコン受光部を用いたが、入力部はリモコン受光部に限らず適宜変更可能である。例えば、入力部は、キーボードまたは押しボタンスイッチでもよい。
【０１５１】
この場合、入力部は、録画予約する番組を放送するチャンネル、その番組を録画する録画装置を特定するための録画装置指定情報、その番組の開始日時およびその番組の終了日時を、ユーザから受け付ける。また、マイコン２ｈ２は、入力部にて受け付けられたチャンネル、録画装置指定情報、開始日時および終了日時を、録画予約格納部２ｆに関連づけて格納する。
【０１５２】
なお、本実施例において、リモコン５が、録画予約する番組を放送するチャンネル、その番組を録画する録画装置を特定するための録画装置指定情報、その番組の開始日時およびその番組の終了日時を、ユーザから受け付けた場合、リモコン５が、その受け付けられたチャンネル、録画装置指定情報、開始日時および終了日時を、リモコン受信部２ｅに送信してもよい。
【０１５３】
この場合、リモコン受光部２ｅは、リモコン５を介して、録画予約する番組を放送するチャンネル、その番組を録画する録画装置を特定するための録画装置指定情報、その番組の開始日時およびその番組の終了日時を、ユーザから受け付ける。また、マイコン２ｈ２は、入力部にて受け付けられたチャンネル、録画装置指定情報、開始日時および終了日時を、録画予約格納部２ｆに関連づけて格納する。
【０１５４】
したがって、この場合も、従来行われていたように、録画予約が変更されると、録画装置に電源を投入して録画装置に設定されている録画予約情報を新たな録画予約情報に変更するという煩わしい処理を不要にすることが可能になる。
【図面の簡単な説明】
【０１５５】
【図１】本発明の一実施例の録画管理装置を示したブロック図である。
【図２】録画予約格納部の一例を示した説明図である。
【図３】録画装置１ａ１ないし１ｃ１の一例を示したブロック図である。
【図４】本録画管理装置の動作を説明するためのフローチャートである。
【図５】制御リストの一例を示した説明図である。
【図６】本録画管理装置の動作を説明するためのフローチャートである。
【図７】本録画管理装置の動作を説明するためのフローチャートである。
【符号の説明】
【０１５６】
１ａ〜１ｃ  録画装置
１ａ１、１ｂ１、１ｃ１  リモコン受光部
１ａ２、１ｂ２、１ｃ２  出力端子
１ａ３、１ｂ３、１ｃ２  リモコン
２          録画管理装置
２ａ        ＥＰＧ取得部
２ｂ        アンテナ端子
２ｃ        通信用端子
２ｄ        ＥＰＧ格納部
２ｅ        リモコン受光部
２ｆ        録画予約格納部
２ｇ        時間管理部
２ｇ１      時計部
２ｇ２      日時格納部
２ｇ３      比較部
２ｈ        制御部
２ｈ１      制御コード格納部
２ｈ２      マイコン
２ｈ２ａ    予約情報取得部
２ｉ１〜２ｉ３  制御出力部
２ｊ        メモリ
２ｋ１〜２ｋ３  外部入力部
２ｌ        セレクタ
２ｍ        Ａ／Ｄ変換部
２ｎ        ＯＳＤ重畳部
２ｏ        Ｄ／Ａ変換部
【図１】
2006270539.tif 000003
【図２】
2006270539.tif 000004
【図３】
2006270539.tif 000005
【図４】
2006270539.tif 000006
【図５】
2006270539.tif 000007
【図６】
2006270539.tif 000008
【図７】
2006270539.tif 000009